(57)【要約】【課題】施工時に連結経路を構成する締付け手段が緩み水漏れするといった恐れを解消し、安全で資源的に有利な食器洗い機を提供すること。【解決手段】給水経路５を連結経路９に固定する回転可能な第１の締付け手段１０と、水道管８を連結経路９に固定する回転可能な第２の締付け手段１１と、第１の締付け手段１０と第２の締付け手段１１とは、外形が異なるものであり、施工業者が、誤って第１の締付け手段１０と第２の締付け手段１１とを反対に配設することを防止することができ、その結果水漏れなどの問題の発生を抑制することができる。【選択図】図１
2009279115.tif 000002
【特許請求の範囲】
【請求項１】
食器を収納して洗浄する洗浄槽と、洗浄槽内に給水を行うための給水経路と水道管とを連結する連結経路と、前記給水経路もしくは前記連結経路に設けられるとともに前記洗浄槽への給水を制御する電磁給水弁と、を備え、前記給水経路を前記連結経路に固定する回転可能な第１の締付け手段と、前記水道管を前記連結経路に固定する回転可能な第２の締付け手段と、前記第１の締付け手段と前記第２の締付け手段とは、外形が異なる食器洗い機。
【請求項２】
第１の締付け手段は外周が略６角形のナットであり、第２の締付け手段は、前記給水経路と前記連結経路とを連結する略円形状の専用部品である請求項１記載の食器洗い機。
【請求項３】
第２の締付け手段は、１ｍｍ以上７ｍｍ以下の角を有する溝を設けた請求項１もしくは２に記載の食器洗い機。
【発明の詳細な説明】
【技術分野】
【０００１】
本発明は、電磁給水弁や給水ホースによって水道水を洗浄槽内に供給して、洗浄槽内に収納された食器類を洗浄する食器洗い機に関するものである。
【背景技術】
【０００２】
従来、洗浄槽内に収納された食器類を洗浄する食器洗い機においては、水道管から水を洗浄槽内に供給する手段として、食器洗い機本体に固着した電磁給水弁に給水ホースを接続し、給水ホースの水道管側先端にはワンタッチカプラー状のジョイントを取付け、給水ポンプを取付け可能とし、その給水ポンプに制御信号を送るための制御信号接続部を食器洗い機本体に設けている（例えば、特許文献１参照）。
【０００３】
上記参考文献１に開示された食器洗い機について図５を用いて説明する。図５に示すように、食器洗い機１０１は、内部に洗浄槽１０２を設けており、この洗浄槽１０２内へ食器洗い機本体１０３に固着された電磁給水弁１０４により水を供給するようにしている。電磁給水弁１０４には給水ホース１０５が接続され、給水ホース１０５の水道管１０６側先端にはワンタッチカプラー状のジョイント１０７を取付け、水道管１０６の替わりに給水ポンプ１０８を取付け可能とし、給水ポンプ１０８に制御信号を送るための制御信号接続部１０９を食器洗い機本体１０３に設けている。
【０００４】
上記構成により、水道が使用できない場合であっても、給水ポンプ１０８を給水ホース１０５の先端に取付けられたジョイント１０７に接続し、給水ホース１０５の通電用コード１１０を制御信号接続部１０９に接続して、洗浄槽１０２内に食器類１１１を入れ、洗浄槽１０２を食器洗い機本体１０３に収めて洗浄を開始すれば、電磁給水弁１０４と給水ポンプ１０８が動作して、あらかじめ溜めておいた水を洗浄槽１０２内に供給することができ、食器類１１１の洗浄を行うことができるようになっている。
【特許文献１】特開２００６−１１０１２９号公報
【発明の開示】
【発明が解決しようとする課題】
【０００５】
しかしながら、上記特許文献１に開示された従来の食器洗い機の構成では、使用者や施工者によって、給水ポンプがジョイントに取付けられたり、取外されたりすることになり、給水ホースとジョイントの接続部に力が加えられ、接続が緩み、ジョイントから水漏れする恐れがあるといった課題を有していた。また給水ポンプを使用しなくなっても食器洗い機本体に制御信号接続部が備えられていることになり、資源的に不利になるといった課題を有していた。
【０００６】
本発明は、前記従来の課題を解決するもので、施工時に連結経路を構成する締付け手段が緩み水漏れするといった恐れを解消し、安全で資源的に有利な食器洗い機を提供することを目的とする。
【課題を解決するための手段】
【０００７】
前記従来の課題を解決するために、本発明の食器洗い機は、給水経路を連結経路に固定する回転可能な第１の締付け手段と、水道管を連結経路に固定する回転可能な第２の締付け手段と、第１の締付け手段と第２の締付け手段とは、外形が異なるものであり、施工業者が、誤って第１の締付け手段と第２の締付け手段とを反対に配設することを防止することができ、その結果水漏れなどの問題の発生を抑制することができる。
【発明の効果】
【０００８】
本発明の食器洗い機によれば、施工業者が、誤って第１の締付け手段と第２の締付け手段とを反対に配設することを防止することができ、その結果水漏れなどの問題の発生を抑制することができる。
【発明を実施するための最良の形態】
【０００９】
第１の発明は、食器を収納して洗浄する洗浄槽と、洗浄槽内に給水を行うための給水経路と水道管とを連結する連結経路と、前記給水経路もしくは前記連結経路に設けられるとともに前記洗浄槽への給水を制御する電磁給水弁と、を備え、前記給水経路を前記連結経路に固定する回転可能な第１の締付け手段と、前記水道管を前記連結経路に固定する回転可能な第２の締付け手段と、前記第１の締付け手段と前記第２の締付け手段とは、外形が異なるので、施工業者が、誤って第１の締付け手段と第２の締付け手段とを反対に配設することを防止することができ、その結果水漏れなどの問題の発生を抑制することができる。
【００１０】
また、第２の発明は、第１の発明において、第２の締付け手段は外周が略６角形のナットであり、第１の締付け手段は、前記給水経路と前記連結経路とを連結する略円形状の専用部品であるので、製造工程において製造者が給水経路と連結経路とを専用工具を用いて連結し、製造された食器洗い機が出荷され、各家庭において施工業者が食器洗い機をキッチンに取り付ける際に、施工業者は、専用工具を所持していないので、第１の締付け手段を回転させることができず、誤ることなく正規の方法で、市販のスパナ等を用い、第２の締付け手段を回転させて連結経路と水道管とを連結させることができる。
【００１１】
すなわち、施工業者が施工時に第１の締付け手段に触れたとしても、第１の締付け手段が略円形状で回転させることができないので、使用者が食器洗い機の使用中に第１の締付け手段から水漏れするといった課題を解消することができる。そして、施工業者が、第１の締付け手段を間違ってさらに締め付けようとしても略円形状のため市販のスパナでは締め付けられず給水弁のネジを壊すことがなく、施工時に第１の締付け手段が緩められて、水漏れするといった課題を解消することができる。
【００１２】
第３の発明は、第１もしくは第２の発明において、第２の締付け手段は、１ｍｍ以上７ｍｍ以下の角を有する溝を設けたもので、製造者が、給水経路に第１の締付け手段を締め付ける際に専用の工具を用いて簡単に締めることができ、また施工時に誤まって施工業者が締め付けようとしても市販のレンチでは締め付けられず、施工時に電磁給水弁側ナットが緩められて水漏れするといった課題を解消することができる。
【００１３】
以下、本発明の実施の形態について、図面を参照しながら説明する。なお、従来例と同じ構成のものは、同一符号を付けてその説明を省略する。また、この実施の形態によって本発明が限定されるものではない。
【００１４】
（実施の形態１）
図１は、本発明の第１の実施の形態における食器洗い機流し台に設置された状態を示す断面図、図２（ａ）は、本発明の第１の実施の形態における食器洗い機の要部を示した側面図、図２（ｂ）は、本発明の第１の実施の形態における食器洗い機の要部を示した正面図、図３（ａ）は、同食器洗い機の第１の締付け手段の要部を示した側面図、図３（ｂ）は、同食器洗い機の第１の締付け手段の要部を示した正面図である。
【００１５】
図１〜図３において、流し台内に設けられたスペースに設置される食器洗い機１には、食器類２を収納して洗浄する洗浄槽３を内接した食器洗い機本体４を備えている。洗浄槽につながっている給水経路５は、洗浄槽３内に給水を行うための給水ホース６と、給水ホ
ース６と接続するとともに洗浄槽３への給水を制御する電磁給水弁７とを有している。
【００１６】
また、食器洗い機１は、電磁給水弁７と水道管８とを連結する連結経路９を有しており、電磁給水弁７は第１の締付け手段１０により連結経路９に固定されており、水道管８は第２の締付け手段１１により連結経路９に固定されている。
【００１７】
図３に示すように、第１の締付け手段１０は、外周が略円形状で、市販のスパナで締め付けられない形状で構成されている。
【００１８】
なお、本実施の形態において、第１の締付け手段１０は、外周が略円形状のものについて説明をしたが、第２の締付け手段１１と異なる部品であればよい。特に、専用の工具でのみ回転させることができる専用部品であればよく、三角形など、六角形以外の多角形状のものであってもよい。
【００１９】
また、第２の締付け手段１１は、略六角形状のナットであり、市販のスパナ等で容易に締め付けることができる。
【００２０】
したがって、施工業者が、誤って第１の締付け手段１０と第２の締付け手段１１とを反対に配設することを防止することができ、その結果水漏れなどの問題の発生を抑制することができる。
【００２１】
また、製造工程において製造者が給水経路５と連結経路９とを専用工具を用いて連結し、製造された食器洗い機１が出荷され、各家庭において施工業者が食器洗い機１をキッチンに取り付ける際に、施工業者は、専用工具を所持していないので、第１の締付け手段１０を回転させることができず、誤ることなく正規の方法で、市販のスパナ等を用い、第２の締付け手段１１を回転させて連結経路と水道管とを連結させることができる。
【００２２】
すなわち、施工業者が施工時に第１の締付け手段１０に触れたとしても、第１の締付け手段１０が略円形状で回転させることができないので、使用者が食器洗い機１の使用中に第１の締付け手段１０から水漏れするといった課題を解消することができる。そして、施工業者が、第１の締付け手段１０を間違ってさらに締め付けようとしても略円形状のため市販のスパナでは締め付けられず電磁給水弁７のネジを壊すことがなく、施工時に第１の締付け手段１０が緩められて、水漏れするといった課題を解消することができる。
【００２３】
電磁給水弁７は食器洗い機本体４内の制御部と接続されているリード線によって制御信号を受けて動作させることができる。この電磁給水弁７の一端にはネジ部が形成されている。連結経路９の第１の締付け手段１０を電磁給水弁７のネジ部にねじ込み、連結経路９を電磁給水弁７に固着するように構成したものである。
【００２４】
以上のように構成された食器洗い機について、以下にその動作、作用について説明する。食器洗い機１を流し台内に設けられたスペースに設置する場合、連結経路９を第２の締付け手段１１で水道管８と接続することになるが、第２の締付け手段１１を水道管８とネジ込み接続する時に、誤って電磁給水弁７側の第１の締付け手段を緩めてしまう恐れがあるが、本実施の形態では、第１の締付け手段１０が略円形状のため、第１の締付け手段１０を市販のスパナーなどで挟んでも、スパナーが空回りするだけで、第１の締付け手段１０が緩められることはない。
【００２５】
食器洗い機１の洗浄槽３に食器類２を入れて洗浄を開始すれば、電磁給水弁７にリード線を通じて開信号が伝達され、水道水が水道管８から流れだし、電磁給水弁７、給水ホース６を通じて、洗浄槽３に設けられた給水口から洗浄槽３内に流れこみ、ポンプによって
洗浄槽３内の水道水を循環させながら食器類２を洗浄することができる。
【００２６】
以上のように本実施の形態によれば、連結経路９を構成する第１の締付け手段１０は略円形上のため、スパナーは第１の締付け手段１０を空回りし、施工時に第１の締付け手段１０が緩められて水漏れするといった恐れを解消することができる。また、従来例にみられたような制御信号接続部を必要としないことから資源的に有利なものとなる。
【００２７】
（実施の形態２）
図４（ａ）は、同食器洗い機の第１の締付け手段の要部を示した側面図、図４（ｂ）は、同食器洗い機の第１の締付け手段の要部を示した正面図である。
【００２８】
本発明の第２の実施の形態における食器洗い機１は、図４に示すように、第１の締付け手段１０の中央部に幅４ｍｍの六角形の溝を形成している。図４に示す実施例では、六角形の溝を形成しているが、溝の形状は多角形であればよい。要は、直線部を有する溝を形成する様第１の締付け手段１０が構成されていればよい。他の構成は上記実施の形態１と同じであり、詳細な説明は省略する。
【００２９】
以上のように構成された食器洗い機についてその動作、作用を説明する。第１の締付け手段１０を電磁給水弁７のネジ部に溝の幅以下のスパナを使用してねじ込めば作業が容易になり、連結経路９を電磁給水弁７に固着するように構成したものである。連結経路９を構成する第１の締付け手段１０は略円形上のため、市販のスパナーは７ｍｍ以上の厚さがあり、第１の締付け手段１０上を空回りし、施工時に第１の締付け手段１０が緩められて水漏れするといった恐れを解消することができる。
【産業上の利用可能性】
【００３０】
以上のように、本発明にかかる食器洗い機は、使用中に給水経路と連結経路とを接続する第１の締付け手段から水漏れすることを防止することが可能となるので、電磁給水弁が機器本体の外に配置された食器洗い機等として有用である。
【図面の簡単な説明】
【００３１】
【図１】本発明の第１の実施の形態における食器洗い機が流し台に設置された状態を示した断面図
【図２】（ａ）同食器洗い機の要部を示した側面図（ｂ）同食器洗い機の要部を示した正面図
【図３】（ａ）同食器洗い機の第１の締付け手段の形状を示した側面図（ｂ）同第１の締付け手段の形状を示した正面図
【図４】（ａ）本発明の第２の実施の形態における食器洗い機の第１の締付け手段を示す側面図（ｂ）同第１の締付け手段の形状を示した正面図
【図５】従来の食器洗い機を示す断面図
【符号の説明】
【００３２】
１  食器洗い機
３  洗浄槽
５  給水経路
６  給水ホース
７  電磁給水弁
８  水道管
９  連結経路
１０  第１の締付け手段
１１  第２の締付け手段
【図１】
2009279115.tif 000003
【図２】
2009279115.tif 000004
【図３】
2009279115.tif 000005
【図４】
2009279115.tif 000006
【図５】
2009279115.tif 000007